(57)【要約】【課題】　メモリを使用せずにプリチャ−ジ駆動方式が実現できる液晶表示装置を提供する。【解決手段】　本発明は液晶充電率を向上させるためにプリチャ−ジ（precharge）駆動方式が適用されて、プリチャ−ジ駆動に必要な制御信号を生成する液晶表示装置及びその駆動方法に関する。　本発明による液晶表示装置及びその駆動方法ではメモリを使用することなく、垂直バックポーチ区間の水平同期信号のパルス数が一定であるという性質を利用して、水平同期信号のパルス数をカウントし、そのカウント値が所定の値に到達した時、垂直同期開始信号のプリチャ−ジ用パルスまたはゲートライン駆動用パルスを発生させることによって、ゲートラインのプリチャ−ジ駆動のための垂直同期開始信号を生成することができる。【選択図】　　　図６
2004062210.tif 000002
【特許請求の範囲】
【請求項１】
　互いに交差する複数のゲートライン及びデータラインと、前記各ゲートラインとデータラインとが交差する地点に形成された画素を有する液晶パネルと、
　外部のグラフィックソースから画像データと垂直及び水平同期信号とデータイネーブル信号とを受信して前記液晶パネルの駆動に必要な制御信号を生成し、前記垂直同期信号のパルスが発生してから前記データイネーブル信号のパルスが発生する時まで前記水平同期信号のパルス数をカウントしてそのカウント値によって、前記データイネーブル信号のパルス発生時点にゲートライン駆動用パルスを有し、かつ、その所定パルスの直前にプリチャ−ジ用パルスを有する垂直同期開始信号を発生させるタイミング制御部と、
　前記タイミング制御部で生成された垂直同期開始信号のプリチャ−ジ用パルスによって前記液晶パネルのゲートラインに連結された画素を予め充電させ、前記ゲートライン駆動用パルスによって前記画素を記録可能な状態に駆動するゲート駆動部と、
　前記タイミング制御部の画像データを受信して前記液晶パネルのデータラインに前記画像データを記録するデータ駆動部と、
を含む液晶表示装置。
【請求項２】
　前記垂直同期開始信号のプリチャ−ジ用パルスはデータイネーブル信号のパルスが発生する前に生成される、請求項１に記載の液晶表示装置。
【請求項３】
　前記垂直同期開始信号のプリチャ−ジ用パルスは１ドット反転駆動である場合に前記ゲートライン駆動用パルスの２クロックパルス以前に生成される、請求項１に記載の液晶表示装置。
【請求項４】
　前記垂直同期開始信号のプリチャ−ジ用パルスは２ドット反転駆動である場合に前記ゲートライン駆動用パルスの４クロックパルス以前に生成される、請求項１に記載の液晶表示装置。
【請求項５】
　垂直及び水平同期信号の極性がポジティブタイプであるかネガティブタイプであるかを判断する第１段階と、
　前記同期信号の極性によって前記各同期信号のカウント基準点を設定する第２段階と、
　所定のフレーム期間内は前記垂直同期信号のバックポーチ区間が一定に維持されていているかどうかを判断する第３段階と、
　前記第３段階で前記垂直同期信号のバックポーチ区間が一定に維持されていれば、前記垂直同期信号のパルスが発生する時点でカウントを開始して前記水平同期信号のパルスが発生するたびにカウントを行なう第４段階と、
　前記第４段階でカウントされた水平同期信号のパルス数が所定の値に到達した場合に垂直同期開始信号のパルスを生成する第５段階と、
を含む液晶表示装置の駆動方法。
【請求項６】
　前記第５段階において、所定の値は（Ｘ−２＊Ｒ）で表現され、Ｘは前記データイネーブル信号のパルスが発生する時点に該当する水平同期信号のカウント値であり、Ｒはドット反転の反転単位である、請求項５に記載の液晶表示装置の駆動方法。
【請求項７】
　前記第１段階は、
　前記同期信号のライジングエッジを示すパルスが発生する時、ハイレベル区間をカウントする段階と、
　前記同期信号のフォーリングエッジを示すパルスが発生する時、ローレベル区間をカウントする段階と、
　前記カウント値を比較してハイレベル区間をカウントした値がローレベル区間をカウントした値よりさらに大きければ同期信号がネガティブタイプであると判断し、その反対である場合にはポジティブタイプであると判断する段階と、
を含む請求項５に記載の液晶表示装置の駆動方法。
【請求項８】
　前記第２段階は、
　前記同期信号の極性がポジティブタイプである場合には各同期信号のフォーリングエッジを基準にしてカウントをするように設定し、前記同期信号の極性がネガティブタイプである場合には各同期信号のライジングエッジを基準にしてカウントするように設定する、請求項５に記載の液晶表示装置の駆動方法。
【発明の詳細な説明】
【技術分野】
【０００１】
　本発明は液晶表示装置及びその駆動方法に関し、さらに詳しくは液晶充電率を向上させるためにプリチャ−ジ（precharge）駆動方式が適用され、プリチャ−ジ駆動に必要な制御信号を生成する液晶表示装置及びその駆動方法に関する。
【背景技術】
【０００２】
　パーソナルコンピュータやテレビなどの軽量化及び薄形化により表示装置分野にも軽量化及び薄形化が要求されており、このような要求を充足させるために陰極線管（CRT:cathode-ray tube）の代りに液晶表示装置（LCD:liquid crystal display）のようなフラットパネル表示装置（flat panel display）が開発されて様々な分野において実用化されている。
【０００３】
　液晶表示装置のパネルはマトリックス形態で画素パターンが形成された基板とそれに対向する基板からなる。前記二つの基板の間には異方性誘電率を有する液晶物質が注入される。前記二つの基板の間には電界が印加されて、この電界の強さを調節することにより基板を透過する光の量が制御されて所望の画像（image）に対する表示が行われる。
　最近、このような液晶表示装置で解像度が高まりながら走査ライン、つまり、ゲートラインの数が増加しており、これにより１ラインの画素を充電するのにかかる時間が急激に減っている。減った充電時間を補償するためにプリチャ−ジ駆動方法が利用されている。ここで、プリチャ−ジ駆動方法とは、極性反転表示形式の場合には、ある任意のゲートラインに連結された画素を充電する時、極性が同一な隣接ゲートラインに連結された画素のデータで予め充電して画素の極性を変えて、その次に当該画素（注：上記の“任意のゲートラインに連結された画素”）のデータで充電を行なう方法である。つまり、１フレームの間に当該ゲートライン（注：上記の“任意のゲートライン”）を二回駆動する。このように、１フレームの間に２つのゲート駆動信号を生成するためには、液晶表示装置のタイミング制御部からゲート駆動部に垂直同期開始信号（STV）を１フレームごとに２つずつ出力しなければならない。前記垂直同期開始信号（STV）は前記タイミング制御部でデータイネーブル信号（DE）を利用して生成される。
【０００４】
　本出願人は大韓民国特許出願第２００１−０００７４５３号（出願日:２００１年２月１５日、以下では先行特許出願と記す）において、有効データ表示区間が不規則なランダムＤＥモードでプリチャ−ジ駆動方式を実現した液晶表示装置を提案した。前記先行特許出願ではデータイネーブル信号（DE）の有効データ表示区間が不規則であってもＲＧＢ画像データを１ラインずつ保存するためのラインメモリを利用して有効データ表示区間に合う垂直同期開始信号を発生させ、特に、プリチャ−ジ駆動のために１ゲートラインごとに２つの順次的なパルスを有するように垂直同期開始信号（STV）を生成する。
【０００５】
　図１には、従来の技術によって、メモリを利用してプリチャ−ジ用垂直同期開始信号を生成する方法を説明するための波形図が示されている。前記図１で、"ＶＳＹＮＣ"は垂直同期信号、"ＨＳＹＮＣ"は水平同期信号、"DE"はデータイネーブル信号、"STV"は垂直同期開始信号、"SYV１"は１ドット反転プリチャ−ジ駆動のための垂直同期開始信号、"STV２"は２ドット反転プリチャ−ジ駆動のための垂直同期開始信号の波形である。前記"STV１"で第１パルスは当該ゲートラインのプリチャ−ジのためのものであり、第２パルスは当該ゲートラインの画素に元来表示しようとする画像データを供給するためのものである。同様に、前記"STV２"で第１パルスは当該ゲートラインのプリチャ−ジのためのものであり、第２パルスは当該ゲートラインの画素に元来表示しようとする画像データを供給するためのものである。
【発明の開示】
【発明が解決しようとする課題】
【０００６】
　しかし、前記先行特許出願による液晶表示装置のタイミング制御部には１ドット反転プリチャ−ジ駆動方式のために３ラインのメモリが必要であり、２ドット反転プリチャ−ジ駆動方式のために５ラインのメモリが必要である。しかし、３ラインのメモリを使用することは液晶表示装置のタイミング制御部では非常に困難である。まず、メモリが占有する空間が増加してタイミング制御部を構成する集積回路の費用が上昇する。また、メモリが増加することによってタイミング制御部内で制御ロジックとデータバスの配置配線設計がさらに複雑になる。このような問題は２ドット反転プリチャ−ジ駆動方式でさらに深刻になる。したがって、メモリを使用せずにプリチャ−ジ駆動方式が実現できる液晶表示装置が求められている。
【０００７】
　本発明は前記ような技術的背景下で従来の技術的問題点を解決するためのものであって、メモリを使用せずにプリチャ−ジ駆動方式が実現できる液晶表示装置を提供することを目的とする。
【課題を解決するための手段】
【０００８】
　前記目的を達成するための本発明の液晶表示装置は、互いに交差する複数のゲートライン及びデータラインと、前記各ゲートラインとデータラインが交差する地点に形成された画素を有する液晶パネルと、外部のグラフィックソースから画像データと垂直及び水平同期信号とデータイネーブル信号を受信して前記液晶パネルの駆動に必要な制御信号を生成し、前記垂直同期信号のパルスが発生してから前記データイネーブル信号のパルスが発生するまで前記水平同期信号のパルス数をカウントして、そのカウント値によって前記データイネーブル信号のパルス発生時点にゲートライン駆動用パルスを有すると同時に、その所定パルスの直前にプリチャ−ジ用パルスを有する垂直同期開始信号を発生させるタイミング制御部と、前記タイミング制御部で生成された垂直同期開始信号のプリチャ−ジ用パルスによって前記液晶パネルのゲートラインに連結された画素を予め充電させ、前記ゲートライン駆動用パルスによって前記画素を記録可能な状態に駆動するゲート駆動部、及び前記タイミング制御部の画像データを受信して前記液晶パネルのデータラインに前記画像データを記録するデータ駆動部とを含む。
【０００９】
　また、前記目的を達成するための本発明の液晶表示装置の駆動方法は、垂直及び水平同期信号の極性がポジティブタイプであるかネガティブタイプであるかを判断する第１段階と、前記同期信号の極性によって前記各同期信号のカウント基準点を設定する第２段階と、所定フレームの期間内は前記垂直同期信号のバックポーチ区間が一定に維持されているかどうかを判断する第３段階と、前記第３段階で前記垂直同期信号のバックポーチ区間が一定に維持されていれば、前記垂直同期信号のパルスが発生する時点にカウントを開始して前記水平同期信号のパルスが発生するたびにカウントを行なう第４段階、及び前記第４段階でカウントされた水平同期信号のパルス数が所定の値に到達した場合に垂直同期開始信号のパルスを生成する第５段階とを含む。
【００１０】
　前記説明された本発明の液晶表示装置及びその駆動方法ではメモリを使用しなくてもプリチャ−ジ駆動のための垂直同期信号を生成するということにその特徴がある。より詳細に記すと、垂直同期信号のバックポーチ区間では水平同期信号のパルス数が一定であるという性質を利用して水平同期信号のパルス数をカウントし、そのカウント値が第１の所定値に到達した時、垂直同期開始信号のプリチャ−ジ用パルスを、そのカウント値が第２の所定値に到達した時、ゲートライン駆動用パルスを発生する。前記プリチャ−ジ用パルスとゲートライン駆動用パルスは前記ゲート駆動部でゲートラインを駆動する信号として使用され、１フレームの期間内は各ゲートラインがプリチャ−ジされた後に画像データの記録のために正常に駆動される。
【００１１】
　上に述べた本発明の目的、技術的構成及びその効果は下記実施例に対する説明を通じてより明白になる。
　添付した図面を参照して本発明の実施例につき、本発明の属する技術分野における通常の知識を有する者が容易に実施できるように詳細に説明する。しかし、本発明は多様な変形形態で実現することができ、ここで説明する実施例に限るものではない。
【発明の効果】
【００１２】
　以上説明したように、本発明による液晶表示装置及びその駆動方法ではメモリを使用せずに、垂直バックポーチ区間の水平同期信号のパルス数が一定であるという性質を利用して、水平同期信号のパルス数をカウントし、そのカウント値が所定の値に到達した時、垂直同期開始信号のプリチャ−ジ用パルスとゲートライン駆動用パルスを発生させることによって、ゲートラインのプリチャ−ジ駆動のための垂直同期開始信号を生成することができる。
【００１３】
　本発明の好ましい実施例について詳細に説明したが、本発明の権利範囲はこれに限られず、前記請求範囲で定義している本発明の基本概念を利用した当業者の多様な変形及び改良形態もまた本発明の権利範囲に属する。
【発明を実施するための最良の形態】
【００１４】
　以下、本発明の実施例による液晶表示装置及びその駆動方法について図面を参考として詳細に説明する。
　図２には本発明の実施例による液晶表示装置の全体的な構成が示されている。
　前記図２を参照すると、本発明の実施例による液晶表示装置はタイミング制御部１００、データ駆動部２００、ゲート駆動部３００及び液晶パネル４００を含む。
【００１５】
　前記タイミング制御部１００は外部のグラフィックソース（graphic source、図示せず）から入力される垂直同期信号（VSYNC）、水平同期信号（HSYNC）、データイネーブル信号（DE）及びＲＧＢ画像データ（DATA０）の提供を受けて、前記データ駆動部２００の仕様に合うようにデータフォーマット（format）を変換したＲＧＢデータ信号（DATA１）と、前記ＲＧＢデータを前記データ駆動部２００で前記液晶パネル４００に伝送するための基準タイミングを提供する水平同期開始信号（STH:Start Horizontal）及びラッチ信号（TP：Latch Signal）を生成して前記データ駆動部２００に出力する。
【００１６】
　また、前記タイミング制御部１００は前記垂直同期信号（VSYNC）、水平同期信号（HSYNC）及びデータイネーブル信号（DE）の提供を受けて、最初に駆動される第１ゲートラインを選択するための垂直同期開始信号（STV：StartVertical）と、その後に駆動されるゲートラインを順次に選択するゲートクロック信号（CPV）及び前記ゲート駆動部３００の出力を制御する出力イネーブル信号（OE：OutputEnable）をゲート駆動部３００に各々出力する。
【００１７】
　特に、本発明のタイミング制御部１００から出力される垂直同期開始信号（STV）は１フレームごとに該当ゲートラインを駆動するためのパルスだけでなく、プリチャ−ジ駆動のためのパルスをさらに含む。
　下記に図３の波形を参照してより詳細に説明する。図３には前記図２に示された液晶表示装置の各部分で使用される信号（VSYNC、HSYNC、DE、STV、STV1'、STV2'）の波形が示されている。前記信号（STV）は一般的な垂直同期開始信号で、本発明の垂直同期開始信号（STV1'、STV2'）との比較のために特に示している。前記信号（STV1'）は１ドット反転プリチャ−ジ駆動のための垂直同期開始信号であり、前記信号（STV2'）は２ドット反転プリチャ−ジ駆動のための垂直同期開始信号である。前記各信号（STV1'またはSTV2'）のパルス列において、最初のパルスである第１パルスはプリチャ−ジ駆動のためのものであり、２番目のパルスである第２パルスは元来のゲートライン駆動のためのものである。前記垂直同期開始信号（STV1'、STV2'）の各パルスによってゲートライン駆動信号が前記ゲート駆動部３００で生成される。本発明では垂直同期信号（VSYNC）のパルスが発生してからデータイネーブル信号（DE）のパルスが発生する時までの水平同期信号（HSYNC）のパルス個数が走査方式毎に一定であるという規則を利用する。つまり、前記タイミング制御部１００では垂直同期信号（VSYNC）のライジングエッジ（rising edge）からデータイネーブル信号（de）のライジングエッジまでの水平同期信号（HSYNC）のパルス数をカウントし、このカウント値を利用してデータイネーブル信号（de）のライジングエッジ直後に垂直同期開始信号のゲートライン駆動用パルスを生成すると同時に、１ドット反転プリチャ−ジ駆動の場合には前記データイネーブル信号（de）のライジングエッジ直前である２クロックパルス前で前記垂直同期開始信号（STV1'）のプリチャ−ジ駆動のためのパルスを発生させ、２ドット反転プリチャージ駆動の場合には前記データイネーブル信号（DE）のライジングエッジ直前である４クロックパルス前で前記垂直同期開始信号（STV2'）のプリチャ−ジ駆動のためのパルスを発生させる。前記垂直同期開始信号（STV1'、STV2'）の生成過程は流れ図を参照して下記でさらに詳細に説明する。
【００１８】
　前記データ駆動部２００は複数のデータ駆動ＩＣ（data driver IC）からなり、タイミング制御部１００から供給されるＲＧＢデータ信号（DATA１）と制御信号群（STH、TP）を利用して液晶パネル４００のデータライン駆動信号（D1〜Dm）を生成した後、前記液晶パネル４００に印加する。例えば、前記ラッチ信号（TP）に合せて順次に入るＲＧＢデータをラッチング（Latching）し、点順次方式（Dot at a time scanning）のタイミング体系を線順次方式（Line at a time scanning）に変えて複数のデータ信号（D1，Ｄ2，．．．，Dm-1，Dm）を液晶パネル４００のデータラインに出力する。
【００１９】
　前記ゲート駆動部３００は複数のゲート駆動ＩＣ（gate driver IC）からなり、前記タイミング制御部１００から提供される制御信号群（CPV、STV、OE）によって液晶パネル４００上の各ゲートラインを順次にスキャニング（scanning）する。ここで、スキャニング（scanning）とは、ゲートラインにゲートオン電圧を順次に印加して、前記ゲートオン電圧が印加されたゲートラインに接続された全画素に対応するデータ信号が供給されて、各画素容量にデータ信号が蓄積つまり記録される状態にすることである。本発明の液晶表示装置では、一つのゲートラインが１フレームの間に二回駆動される。つまり、図３の垂直同期開始信号（STV1'またはSTV2'）により各パルスの位置でゲートオン電圧がゲート駆動信号として各々生成されて該当ゲートラインに印加される。したがって、第１ゲートオン電圧によってプリチャ−ジ動作のためにゲートラインが駆動され、第２ゲートオン電圧によって元来のデータを記録するためにゲートラインが駆動される。
【００２０】
　前記液晶パネル４００は複数のゲートラインと、前記ゲートラインに垂直に交差する複数のデータラインと、前記各ゲートラインとデータラインの交差点に形成された画素を含み、前記画素はマトリックス構造で配置されている。前記各画素はゲートラインとデータラインにゲート電極及びソース電極が各々連結される薄膜トランジスタ（図示せず）と、前記薄膜トランジスタのドレーン電極に連結される画素キャパシター（図示せず）及びストレージキャパシター（図示せず）を含む。このような画素構造ではゲート駆動部３００によって当該ゲートラインにゲートオン電圧がパルス形態で印加されると、前記ゲートラインに連結された画素の薄膜トランジスタがターンオンされ、次に、データ駆動部２００によって各データラインに画素情報を含む電圧が印加される。この電圧は当該画素の薄膜トランジスタを経て画素キャパシターと維持キャパシターに印加されて、これらキャパシターが充電されることによって所定の表示動作が行なわれる。
【００２１】
　前記で説明したように、前記タイミング制御部１００では垂直及び水平同期信号（VSYNC、HSYNC）とデータイネーブル信号（DE）の関係を利用して垂直同期開始信号（STV1'、STV2'）を生成する。この時、垂直同期信号（VSYNC）のライジングエッジ（rising edge）（垂直同期信号がポジティブタイプである場合）が発生してから、データイネーブル信号（DE）のパルス発生、つまり、ライジングエッジが発生するまでの時間をバックポーチ（back porch）という。この期間中の状態は映像信号のフォーマットが変わる瞬間やその映像信号が液晶表示装置で支援する解像度と合わなくてスケーリングが他の方式に変更される瞬間を除いては常に一定である。したがって、前記タイミング制御部１００では前記バックポーチ区間内の水平同期信号の個数をカウントして垂直同期開始信号（STV1'、STV2'）のパルス発生位置を決定できる。前記バックポーチ区間内の水平同期信号の個数をカウントするためには、同期信号（VSYNC、HSYNC）の極性を判断するロジックが必要である。図４はこのような同期信号の極性判断方法を示す波形図であり、図５は同期信号の極性判断方法を説明するフローチャートである。
【００２２】
　図４に示されているように、同期信号がポジティブタイプであってもネガティブタイプであっても同期信号のライジングエッジとフォーリングエッジではエッジパルス（エッヂ検出パルス）が発生する。同期信号がポジティブタイプである場合にはパルスのハイレベル区間がローレベル区間より短く、ネガティブタイプである場合にはパルスのハイレベル区間がローレベル区間より長い。同期信号のライジングエッジで発生するエッジパルスをポジティブエッジパルスとし、フォーリングエッジで発生するエッジパルスをネガティブエッジパルスとする。
【００２３】
　次に、図５を参照して同期信号の極性判断方法について説明する。
　前記同期信号の極性判断方法は、図４の波形図で同期信号の極性がポジティブタイプであるかネガティブタイプであるかに関係なく、ポジティブエッジパルスが発生すればハイレベル区間が開始され、ネガティブエッジパルスが発生すればローレベル区間が開始されるという性質を利用する。つまり、ポジティブエッジパルスが発生すればハイレベル区間をカウントし、ネガティブエッジパルスが発生すればローレベル区間をカウントする。次に、これらハイレベル区間のカウント値とローレベル区間のカウント値を互いに比較して、ハイレベル区間のカウント値がローレベル区間のカウント値より大きいとネガティブタイプ同期信号と判断し、ローレベル区間のカウント値がハイレベル区間のカウント値より大きいとポジティブタイプ同期信号と判断する。図５のフローチャートは前記判断過程を詳細に示している。
【００２４】
　まず、動作が始まれば（Ｓ５１）、ポジティブエッジパルスが"１"（ハイレベル状態）であるかどうかを判断する（Ｓ５２）。本発明の実施例では、ハイレベル区間をカウントするための変数（ｈｉｇｈ_ｃｎｔ、以下、"ハイレベルカウント変数"とする）とローレベル区間をカウントするための変数（ｌｏｗ_ｃｎｔ、以下、"ローレベルカウント変数"とする）が用いられる。前記段階（Ｓ５２）でポジティブエッジパルスが"１"である場合、ハイレベル区間をカウントするために、前記ハイレベルカウント変数（ｈｉｇｈ_ｃｎｔ）はゼロ（zero）にリセットされ、その時までカウントされたローレベルカウント変数（ｌｏｗ_ｃｎｔ）の値が保存される（Ｓ５３）。一方、前記段階（Ｓ５２）でポジティブエッジパルスが"１"でない場合には、前記ハイレベルカウント変数（ｈｉｇｈ_ｃｎｔ）とローレベルカウント変数（ｌｏｗ_ｃｎｔ）値が"１"ずつ増加する（Ｓ５４）。次に、ネガティブエッジパルスが"１"（ハイレベル状態）であるかどうかを判断する（Ｓ５５）。前記段階（Ｓ５５）でネガティブエッジパルスが"１"である場合、ローレベル区間をカウントするために、前記ローレベルカウント変数（ｌｏｗ_ｃｎｔ）はゼロにリセットされ、その時までカウントされたハイレベルカウント変数（ｈｉｇｈ_ｃｎｔ）値が保存される（Ｓ５６）。一方、前記段階（Ｓ５５）でネガティブエッジパルスが"１"でない場合には、前記ハイレベルカウント変数（ｈｉｇｈ_ｃｎｔ）とローレベルカウント変数（ｌｏｗ_ｃｎｔ）値が"１"ずつ増加する（Ｓ５７）。次に、前記各段階（Ｓ５３、Ｓ５６）で保存されたハイレベルカウント変数（ｈｉｇｈ_ｃｎｔ）とローレベルカウント変数（ｌｏｗ_ｃｎｔ）値を比較する（Ｓ５８）。前記段階（Ｓ５８）のカウント値比較を通じてローレベルカウント変数（ｌｏｗ_ｃｎｔ）値がさらに大きいと判断されれば、同期信号がポジティブタイプであると判断し（Ｓ５９）、その反対に、ハイレベルカウント変数（ｈｉｇｈ_ｃｎｔ）値がさらに大きいと判断されれば、同期信号がネガティブタイプであると判断する（Ｓ６０）。次に、制御流れがリターンされて（Ｓ６１）前記の過程を繰り返す。
【００２５】
　前記説明された同期信号の極性判断方法は前記タイミング制御部でプリチャ−ジ用垂直同期開始信号を生成するのに利用される。図６には本発明の液晶表示装置でプリチャ−ジ用垂直同期開始信号を生成する過程を示したフローチャートが示されている。
　　次に、図６を参照して本発明によるプリチャ−ジ用垂直同期開始信号を生成する方法を説明する。
【００２６】
　図６の最上部（ルート（root）、以下（Ａ）点と記す）で制御の流れが始まれば、同期信号の極性がポジティブタイプであるかどうかを判断する（Ｓ７１）。同期信号の極性判断は先に説明された図５の判断方法が用いられる。一方、図６のフローチャートでは垂直同期信号カウント基準変数（VSYNC_start）、水平同期信号カウント基準変数（HSYNC_start）及び水平同期信号カウント変数（hcnt）が用いられている。既述のように、同期信号のライジングエッジとフォーリングエッジでエッジパルスが各々発生するので、同期信号の極性によってカウントの基準となるエッジパルスが指定されなければならない。
【００２７】
　前記段階（Ｓ７１）で同期信号の極性がポジティブタイプである場合には、前記垂直同期信号カウント基準変数（VSYNC_start）と水平同期信号カウント基準変数（HSYNC_start）が垂直同期信号のネガティブエッジパルスと水平同期信号のネガティブエッジパルスに各々設定される（Ｓ７２）。つまり、同期信号の極性がポジティブタイプである場合には各同期信号のフォーリングエッジでカウント動作が行なわれる。一方、前記段階（Ｓ７１）で同期信号の極性がポジティブタイプでない場合、つまり、ネガティブタイプである場合には、前記垂直同期信号カウント基準変数（VSYNC_start）と水平同期信号カウント基準変数（HSYNC_start）が垂直同期信号のポジティブエッジパルスと水平同期信号のポジティブエッジパルスに各々設定される（Ｓ７３）。言い換えると、同期信号の極性がネガティブタイプである場合には各同期信号のライジングエッジでカウント動作が行なわれる。
【００２８】
　次に、任意のＮ個のフレーム期間内で垂直バックポーチが一定に維持されているかどうかを判断する（Ｓ７４）。垂直バックポーチとは垂直同期信号（VSYNC）のバックポーチ区間であって、垂直同期信号のパルスがライジングされてからデータイネーブル信号（DE）のパルスが発生する直前までの時間のことである。このような垂直バックポーチは映像信号のフォーマットが変わる瞬間やその映像信号が液晶表示装置で支援する解像度と合わなくてスケーリング（scaling）が他の方式に変更する瞬間を除いては常に一定である。前記段階（Ｓ７４）はこのような垂直バックポーチの変更の可否を確認する過程であって、垂直バックポーチが一定でない場合には制御の流れがルート（Ａ）に復帰する。
【００２９】
　前記段階（Ｓ７４）で垂直バックポーチが任意のＮ個のフレームの期間内で一定に維持されていれば、前記垂直同期信号カウント基準変数（VSYNC_start）が"１"であるかどうかを判断する（Ｓ７５）。この段階（Ｓ７５）は垂直同期信号でパルスが発生するかどうかを確認するためのものである。前記段階（Ｓ７５）で垂直同期信号カウント基準変数（VSYNC_start）が"１"である場合には、水平同期信号カウント変数（hcnt）がリセットされ（Ｓ７６）、そうでない場合には直ちに次の段階（Ｓ７５）にジャンプする。したがって、垂直同期信号のパルスが発生するたびに水平同期信号カウント変数（hcnt）はカウント動作を開始する。次に、前記水平同期信号カウント基準変数（HSYNC_start）が"１"であるかどうかを判断する（Ｓ７７）。この段階（Ｓ７７）は水平同期信号でパルスが発生するかどうかを確認するためのものである。前記段階（Ｓ７７）で水平同期信号カウント基準変数（HSYNC_start）が"１"である場合には、前記水平同期信号カウント変数（hcnt）はそのカウント値が"１"アップカウントされ（Ｓ７８）、そうでない場合には直ちに次の段階（Ｓ７９）にジャンプする。結果的に、前記水平同期信号カウント変数（hcnt）は垂直バックポーチの間の水平同期信号のパルス数を一つずつアップカウントする。既述したように、垂直同期信号のパルスが発生してデータイネーブル信号（DE）のパルスが発生する時までの水平同期信号のパルス数は一定であるので、前記水平同期信号カウント変数（hcnt）が所定の値（Ｘ）に至ればデータイネーブル信号のパルスが発生する。つまり、前記カウント値（Ｘ）は前記データイネーブル信号（DE）のパルスが発生する時点を示すカウント値である。したがって、前記カウント値（Ｘ）に到達した時、垂直同期開始信号（STV）のゲートライン駆動用パルスが発生しなければならない。そして、プリチャ−ジ駆動のためにはこの時点より２クロックパルス先に垂直同期開始信号（STV）のプリチャ−ジ用パルスが発生しなければならない。前記図６の段階（Ｓ７９）乃至段階（Ｓ８１）はこれを説明するためのものである。つまり、水平同期信号カウント変数（hcnt）が特定値（Ｘ）または値（Ｘ−２＊Ｒ）に到達したかどうかを判断し（Ｓ７９）、前記二つの値のうちいずれか一つに該当する場合にだけ垂直同期開始信号（STV）のパルスを発生させて（Ｓ８０）、そうでない場合には垂直同期開始信号（STV）のパルスを発生させない（Ｓ８１）。ここで、Ｒはドット反転の反転単位を示す定数であって、１ドット反転の場合には"１"であり、２ドット反転の場合には"２"である。前記段階（Ｓ８０）または段階（Ｓ８１）が完了すれば、制御の流れはルート（Ａ）に復帰する。したがって、前記生成された垂直同期開始信号（STV）はデータイネーブル信号（DE）が発生する前にプリチャ−ジ用パルスを有し、データイネーブル信号（DE）のパルスが発生する時点にゲートライン駆動用パルスを有する。
【図面の簡単な説明】
【００３０】
【図１】従来の技術によって、メモリを利用してプリチャ−ジ用垂直同期開始信号を生成する方法を説明するための波形図である。
【図２】本発明による液晶表示装置の全体的な構成を示したブロック図である。
【図３】本発明の液晶表示装置でプリチャ−ジ用垂直同期開始信号を生成する方法を説明するための波形図である。
【図４】前記図３に示された同期信号の極性を判断する方法を説明するための波形図である。
【図５】前記図４に示された同期信号の極性を判断する過程を示した流れ図である。
【図６】本発明の液晶表示装置でプリチャ−ジ用垂直同期開始信号を生成する過程を示した流れ図である。
【符号の説明】
【００３１】
１００:タイミング制御部
２００:データ駆動部
３００:ゲート駆動部
４００:液晶パネル
ＶＳＹＮＣ:垂直同期信号
ＨＳＹＮＣ:水平同期信号
ＤＥ:データイネーブル信号
ＳＴＶ:垂直同期開始信号
【図１】
2004062210.tif 000003
【図２】
2004062210.tif 000004
【図３】
2004062210.tif 000005
【図４】
2004062210.tif 000006
【図５】
2004062210.tif 000007
【図６】
2004062210.tif 000008